(57)【要約】【課題】  清掃性に優れ清潔な状態を維持できるとともに、部品点数を抑えることができる照明装置の止水構造を提供すること。【解決手段】  照明具２２を壁面２１に保持するためのホルダー部２３と、ホルダー部２３に取り付けられ照明具２２を被覆するカバー部２４と、カバー部２４と壁面２１との間を止水する弾性ヒレ部２５とで照明装置の止水構造２０を構成した。また、カバー部２４を硬質の樹脂材料で構成するとともに、弾性ヒレ部２５軟質の樹脂材料で構成し、カバー部２４と弾性ヒレ部２５とを一体的に形成した。そして、カバー部２４をホルダー部２３に取り付けたときに、弾性ヒレ部２５が壁面２１に圧接するようにした。【選択図】  図２
2006147384.tif 000002
【特許請求の範囲】
【請求項１】
照明具を壁面に保持するためのホルダー部と、前記ホルダー部に取り付けられ前記照明具を被覆するカバー部と、前記壁面と前記ホルダー部との間、前記ホルダー部と前記カバー部との間および前記壁面と前記カバー部との間の少なくとも一ヶ所を止水する止水部とを備えた照明装置の止水構造であって、
前記止水部を、前記ホルダー部における前記壁面と接触する部分、前記ホルダー部における前記カバー部と接触する部分および前記カバー部における前記壁面と接触する部分の少なくとも一ヶ所に形成された軟質材料からなる弾性ヒレ部で構成し、前記カバー部を前記ホルダー部に取り付けたときに、前記弾性ヒレ部が対応する接触部分に圧接するようにしたことを特徴とする照明装置の止水構造。
【請求項２】
前記止水部を軟質の樹脂材料で構成するとともに、前記止水部が形成される前記ホルダー部または前記カバー部を硬質の樹脂材料で構成し、前記止水部と前記止水部が形成される前記ホルダー部または前記カバー部とを一体的に形成した請求項１に記載の照明装置の止水構造。
【請求項３】
前記カバー部が、開口周縁部に形成されたねじを前記ホルダー部の周縁部に形成されたねじに螺合させることにより前記ホルダー部を介して前記壁面に取り付けられるとともに、前記止水部が前記カバー部と前記ホルダー部とのねじの螺合部分を囲うようにして前記カバー部に設けられ、前記カバー部を前記ホルダー部に取り付けたときに、前記止水部が前記壁面に圧接するようにした請求項１または２に記載の照明装置の止水構造。
【請求項４】
前記カバー部が、開口周縁部側の内面に形成されたねじを前記ホルダー部の周縁部の外面に形成されたねじに螺合させることにより前記ホルダー部を介して前記壁面に取り付けられるとともに、前記止水部が前記カバー部の開口周縁部に設けられ、前記カバー部を前記ホルダー部に取り付けたときに、前記止水部が前記壁面に圧接するようにした請求項１または２に記載の照明装置の止水構造。
【請求項５】
前記カバー部が、開口周縁部に形成されたねじを前記ホルダー部の周縁部に形成されたねじに螺合させることにより前記ホルダー部を介して前記壁面に取り付けられ、前記ホルダー部における前記壁面に接触する部分に前記止水部が設けられているとともに、前記ホルダー部における前記カバー部と接触する部分または、前記カバー部における前記ホルダー部と接触する部分に前記止水部が設けられている請求項１または２に記載の照明装置の止水構造。
【発明の詳細な説明】
【技術分野】
【０００１】
本発明は、浴室等の壁面に設けられる照明装置の止水構造に関する。
【背景技術】
【０００２】
従来から、室内の壁面に照明装置を取り付けることが行われており、このような照明装置の中に、浴室のように止水性が要求される場所に設けられるものがある（例えば、特許文献１参照）。この照明装置は、浴室の壁面に穴部を設けて、この穴部に、電球を取り付けるための第１取付部と電球を覆うグローブ（カバー部）を取り付けるための第２取付部とからなる取付基体をビスで固定し、第１取付部に電球を取り付けるとともに、第２取付部にグローブを取り付けて、さらに壁面とグローブとの間にパッキンを設けて構成されている。このため、壁面に伝わって流れる水滴等は、パッキンによって止水されてグローブ内に浸入することを防止される。
【特許文献１】実開平５−８１９０７号公報
【発明の開示】
【０００３】
しかしながら、前述した従来の照明装置では、壁面とグローブとの間にパッキンを設けているため、清掃がし難くなりパッキンやその近傍部分にカビや汚れが発生しやすいという問題がある。また、止水のためのパッキンが必要になるため部品点数が多くなってしまうという問題もある。
【０００４】
本発明は、前述した問題に対処するためになされたもので、その目的は、清掃性に優れ清潔な状態を維持できるとともに、部品点数を抑えることができる照明装置の止水構造を提供することである。
【０００５】
前述した目的を達成するため、本発明に係る照明装置の止水構造の特徴は、照明具を壁面に保持するためのホルダー部と、ホルダー部に取り付けられ照明具を被覆するカバー部と、壁面とホルダー部との間、ホルダー部とカバー部との間および壁面とカバー部との間の少なくとも一ヶ所を止水する止水部とを備えた照明装置の止水構造であって、止水部を、ホルダー部における壁面と接触する部分、ホルダー部におけるカバー部と接触する部分およびカバー部における壁面と接触する部分の少なくとも一ヶ所に形成された軟質材料からなる弾性ヒレ部で構成し、カバー部をホルダー部に取り付けたときに、弾性ヒレ部が対応する接触部分に圧接するようにしたことにある。
【０００６】
このように構成した本発明に係る照明装置の止水構造では、パッキン等の止水のための部材を用いることなく、照明具を壁面に保持するためのホルダー部や照明具を被覆するカバー部に軟質材料からなる弾性ヒレ部を設けて止水部を構成している。したがって、弾性ヒレ部を対応する部分に密接させるために、凹凸の少ない平滑面を備えた部材で構成することができ、これによって清掃性が向上するとともに部品点数を抑えることができる。また、ホルダー部やカバー部に軟質材料からなる弾性ヒレ部が設けられているため、ホルダー部やカバー部が落下したときの衝撃を緩和することができる。
【０００７】
この場合、ホルダー部の壁面側部分に弾性ヒレ部を設けた場合には、弾性ヒレ部を壁面に圧接させてホルダー部と壁面との間を密閉し、ホルダー部のカバー部側部分に弾性ヒレ部を設けた場合には、弾性ヒレ部をカバー部に圧接させてホルダー部とカバー部との間を密閉することができる。さらに、カバー部のホルダー部側部分に弾性ヒレ部を設けた場合には、弾性ヒレ部をホルダー部に圧接させてカバー部とホルダー部との間を密閉し、カバー部の壁面側部分に弾性ヒレ部を設けた場合には、弾性ヒレ部を壁面に圧接させてカバー部と壁面との間を密閉することができる。
【０００８】
また、本発明に係る照明装置の止水構造の他の構成上の特徴は、止水部を軟質の樹脂材料で構成するとともに、止水部が形成されるホルダー部またはカバー部を硬質の樹脂材料で構成し、止水部と止水部が形成されるホルダー部またはカバー部とを一体的に形成したことにある。これによると、止水部の表面を対応する部分と密着できる滑らかな面に形成することができるため、止水効果がより高まる。また、止水部の成形が容易になるとともに、ホルダー部やカバー部の取り付けが容易になる。さらに、一体的に形成することにより生産性を向上させることができる。
【０００９】
また、本発明に係る照明装置の止水構造のさらに他の構成上の特徴は、カバー部が、開口周縁部に形成されたねじをホルダー部の周縁部に形成されたねじに螺合させることによりホルダー部を介して壁面に取り付けられるとともに、止水部がカバー部とホルダー部とのねじの螺合部分を囲うようにしてカバー部に設けられ、カバー部をホルダー部に取り付けたときに、止水部が壁面に圧接するようにしたことにある。
【００１０】
これによると、ねじ同士を螺合させてカバー部をホルダー部に取り付けるだけで、止水部が壁面に圧接するため、ホルダー部と壁面との間およびホルダー部とカバー部との間が同時に密閉された状態になる。また、これによると、ホルダー部が露出しないため、清掃の際には、カバー部の表面と壁面との露出部分を拭いたり洗ったりするだけで済み作業が容易になる。また、カビや汚れが生じ難くなるため清潔な状態を維持することができる。
【００１１】
また、本発明に係る照明装置の止水構造のさらに他の構成上の特徴は、カバー部が、開口周縁部側の内面に形成されたねじをホルダー部の周縁部の外面に形成されたねじに螺合させることによりホルダー部を介して壁面に取り付けられるとともに、止水部がカバー部の開口周縁部に設けられ、カバー部をホルダー部に取り付けたときに、止水部が壁面に圧接するようにしたことにある。これによると、カバー部の構造を簡単にすることができるため製造が容易になる。
【００１２】
また、本発明に係る照明装置の止水構造のさらに他の構成上の特徴は、カバー部が、開口周縁部に形成されたねじをホルダー部の周縁部に形成されたねじに螺合させることによりホルダー部を介して壁面に取り付けられ、ホルダー部における壁面に接触する部分に止水部が設けられているとともに、ホルダー部におけるカバー部と接触する部分または、カバー部におけるホルダー部と接触する部分に止水部が設けられていることにある。これによると、ホルダー部が露出するように構成してもホルダー部内やカバー部内に水が浸入することを確実に防止できる。
【発明を実施するための最良の形態】
【００１３】
（第１実施形態）
以下、本発明の第１実施形態を図面を用いて説明する。図１は同実施形態に係る照明装置の止水構造２０を備えた浴室１０を示している。この浴室１０では、浴室１０内と屋外とを仕切る外側壁面パネル１１に窓１１ａが設けられており、床面部１２における窓１１ａ側部分に浴槽１３が設置されている。そして、浴槽１３の左右（図１では前後）の側面は、左壁面パネル（図示せず）と右壁面パネル１４とで挟まれている。また、外側壁面パネル１１に対向する部分には、出入用のドア（図示せず）が設けられた内側壁面パネル１５が設置され、天井部はドーム状の天井パネル１６で構成されている。
【００１４】
また、床面部１２における右壁面パネル１４に沿った浴槽１３に隣接する部分にカウンター１７が設けられ、右壁面パネル１４におけるカウンター１７の上方部分にミラーパネル１８が設けられている。そして、ミラーパネル１８の表面における中央部よりもやや浴槽１３に近い部分に縦長四角形のミラー１８ａが取り付けられている。また、ミラーパネル１８におけるミラー１８ａの右側部分（ミラーパネル１８を正面から見た場合の右側）には、二段に構成された棚部１８ｂが上下方向に間隔を保って設けられ、ミラー１８ａの下側には横幅が大きい棚部１８ｃが設けられている。
【００１５】
この棚部１８ｂ，１８ｃは、ミラーパネル１８の表面側に突出した板状のもので構成され、シャンプーや石鹸等の入浴用具や洗面用具を置くことができる。また、浴槽１３の上面部１３ａにおけるカウンター１７側の角部には、浴槽１３内に湯や水を取り出すための水栓１９ａが設けられ、カウンター１７の上方のミラーパネル１８における棚部１８ｃの下方には、カウンター１７で使う湯や水を取り出すための水栓１９ｂが設けられている。さらに、ミラーパネル１８におけるミラー１８ａの左側部分には、水栓１９ｂから延びたシャワー１９ｃが設けられている。
【００１６】
そして、右壁面パネル１４およびミラーパネル１８の上部側部分には、浴室１０内を明るく照明するための電球からなる照明具２２（図２参照）を備えた照明装置の止水構造２０がそれぞれ設けられている。この止水構造２０は、右壁面パネル１４やミラーパネル１８の壁面２１に固定されたホルダー部２３と、照明具２２を被覆するカバー部２４とを備えている。ホルダー部２３は、照明具２２を保持するためのもので、照明具２２を取り付けることができるソケット部２３ａと、壁面２１に固定された固定部２３ｂと、固定部２３ｂの周縁部から前方に延びた円筒状の支持部２３ｃとで構成されている。そして、支持部２３ｃの内周面にはねじ２３ｄが形成されている。このホルダー部２３は、本体部分が硬質の樹脂材料で構成され、照明具２２の基端ねじ部２２ａに接触する部分が導電性の金属で構成されている。
【００１７】
カバー部２４は、透光性の樹脂材料で構成されており、前部側部分２４ａが滑らかな略半球面状に形成され、後部側部分２４ｂが後方に行くに従って細くなった段状の略筒状に形成されている。そして、後部側部分２４ｂの後端周縁部にスカート状に後部側が広がった本発明の止水部としての弾性ヒレ部２５が形成され、後部側部分２４ｂと弾性ヒレ部２５との境界部から、内側に向ってフランジ状の連結片２６ａが延び、その連結片２６ａの内周縁部に円筒状の被支持部２６ｂが支持部２３ｃと同軸的になるように形成されている。
【００１８】
この被支持部２６ｂは弾性ヒレ部２５と所定間隔を保って弾性ヒレ部２５の内側に位置するように形成され、外周面に、ホルダー部２３のねじ２３ｄと螺合可能なねじ２６ｃが形成されている。弾性ヒレ部２５は、軟質の樹脂材料で構成され、カバー部２４における弾性ヒレ部２５以外の部分は、硬質の樹脂材料で構成されており、これらは、異種材料を用いて射出成形を行う２色成形により一体的に成形されている。このため、ねじ２３ｄにねじ２６ｃを螺合させることにより、カバー部２４をホルダー部２３に取り付けると、弾性ヒレ部２５は壁面２１に押し付けられて壁面２１に密接する。また、ホルダー部２３の導電性金属部分は、配線（図示せず）を介して電源に接続されており、電源から供給される電力によって照明具２２を点灯させる。
【００１９】
この構成において、水滴が壁面２１を伝って止水構造２０の部分に流れてくる等した場合においても、壁面２１と弾性ヒレ部２５との間は密接して水を浸入させないため、その水は、壁面２１に沿って下方のミラーパネル１８側に流れ、ミラーパネル１８の表面に沿って下方に流れていく。
【００２０】
このように、この照明装置の止水構造２０では、照明具２２を被覆するためのカバー部２４に軟質材料からなる弾性ヒレ部２５を一体的に設けて壁面２１とカバー部２４との間を止水している。したがって、弾性ヒレ部２５の表面を壁面２１に密着しやすい平滑面にすることができ、これによって止水性が向上するとともに清掃性が向上する。また、カバー部２４に弾性ヒレ部２５が設けられているため、生産性が向上するとともにカバー部２４が落下したときに弾性ヒレ部２５側が下方になっていれば、落下の衝撃を緩和することもできる。
【００２１】
また、照明装置の止水構造２０では、弾性ヒレ部２５が、ねじ２３ｄとねじ２６ｃとの螺合部分を囲うようにしてカバー部２４に設けられているため、ねじ２３ｄとねじ２６ｃとを螺合させてカバー部２４をホルダー部２３に取り付けるだけで、弾性ヒレ部２５が壁面２１に圧接する。この際、ホルダー部２３と壁面２１との間およびホルダー部２３とカバー部２４との間のすべての部分が密閉された状態になる。このため、清掃の際には、カバー部２４の表面と壁面２１との露出部分を拭いたり洗ったりするだけで済むため清掃作業が容易になる。また、カビや汚れが生じ難くなり清潔な状態を維持することができる。
【００２２】
（第２実施形態）
また、図３は本発明の第２実施形態に係る照明装置の止水構造３０を示している。この照明装置の止水構造３０は、壁面３１に固定されたホルダー部３３と、照明具３２を被覆するカバー部３４とを備えている。ホルダー部３３は、円筒状のソケット部３３ａと、略円板状の固定部３３ｂと、固定部２３ｂの周縁部から前後方向に延びた円筒状の支持部３３ｃとで構成されている。そして、ソケット部３３ａは前後方向に長く形成されて照明具３２の基端ねじ部（図示せず）を被覆できるように構成され、支持部３３ｃの外周面にはねじ３３ｄが形成されている。
【００２３】
カバー部３４は、透光性の樹脂材料で構成されており、後端部が開口した略円筒状の箱状に形成されている。そして、カバー部３４の後部には、スカート状に後部側が広がった本発明の止水部としての弾性ヒレ部３５が形成されている。また、カバー部３４の内周面における弾性ヒレ部３５に沿った部分には、ホルダー部３３のねじ３３ｄと螺合可能なねじ３６ｃが形成され、その前部側にはストッパ３４ａが設けられている。なお、この照明装置の止水構造３０においても、弾性ヒレ部３５は、軟質の樹脂材料で構成され、カバー部３４における弾性ヒレ部３５以外の部分と、ホルダー部３３の本体部分は、硬質の樹脂材料で構成されている。
【００２４】
このため、ねじ３３ｄにねじ３６ｃを螺合させることにより、カバー部３４をホルダー部３３に取り付けると、弾性ヒレ部３５は壁面３１に押し付けられて壁面３１に密接する。この場合、支持部３３ｃとストッパ３４ａとの当接により、カバー部３４は適正位置に停止する。また、ホルダー部３３は、配線３７を介して電源に接続されており、電源から供給される電力によって照明具３２を点灯させる。
【００２５】
この照明装置の止水構造３０のそれ以外の部分の構成については、前述した第１実施形態による照明装置の止水構造２０と同一である。また、この照明装置の止水構造３０は、前述した浴室１０と同様の浴室に設けられる。これによると、カバー部３４の構造が簡単になるため製造が容易になる。また、この照明装置の止水構造３０では、浴室１０内側から見えるカバー部３４と壁面３１との間に隙間がなくなるため意匠面においても優れたものになる。この照明装置の止水構造３０のそれ以外の作用効果については、前述した第１実施形態に係る照明装置の止水構造２０と同様である。
【００２６】
（第３実施形態）
図４は、本発明の第３実施形態に係る照明装置の止水構造４０の要部を示している。この照明装置の止水構造４０では、壁面４１に固定されたホルダー部４３における固定部４３ｂと円筒状の支持部４３ｃとの角部の外部側に弾性ヒレ部４５ａが形成され、支持部４３ｃの前端部に弾性ヒレ部４５ｂが形成されている。そして、支持部４３ｃの内周面にはねじ４３ｄが形成されている。また、カバー部４４の被支持部４６ｂにおける外周面には、ホルダー部４３のねじ４３ｄと螺合可能なねじ４６ｃが形成されている。また、弾性ヒレ部４５ａ，４５ｂは、軟質の樹脂材料で構成され、ホルダー部４３における弾性ヒレ部４５ａ，４５ｂ以外の部分は、硬質の樹脂材料で構成され、これらは一体成形により一体的に形成されている。
【００２７】
この照明装置の止水構造４０のそれ以外の部分の構成については、前述した第１実施形態による照明装置の止水構造２０と同一である。これによると、ホルダー部４３と壁面４１の間が弾性ヒレ部４５ａで密閉され、ホルダー部４３とカバー部４４との間が弾性ヒレ部４５ａで密閉されるため、ホルダー部４３が露出するように構成してもホルダー部４３内やカバー部４４内に水が浸入することを防止できる。この照明装置の止水構造４０のそれ以外の作用効果については、前述した第１実施形態に係る照明装置の止水構造２０と同様である。
【００２８】
また、本発明に係る照明装置の止水構造は、前述した各実施形態に限定されるものでなく本発明の技術的範囲内で適宜変更して実施することが可能である。例えば、前述した各実施形態では、弾性ヒレ部２５をカバー部２４と、弾性ヒレ部３５をカバー部３４と、弾性ヒレ部４５ａ，４５ｂをホルダー部４３とそれぞれ一体成形により一体的に形成しているが、弾性ヒレ部２５等は、カバー部２４等と別体として成形し、接合等により一体的にすることもできる。この場合、弾性ヒレ部２５等を構成する材料としては、樹脂材料以外の材料でもよく、例えばゴム等からなる弾性材料を用いてもよい。
【００２９】
また、前述した各実施形態では、ホルダー部２３，３３を樹脂材料で構成しているが、これを他の材料で構成してもよく、例えば金属材料で構成することもできる。さらに、前述した各実施形態では、カバー部２４等を略球形または略円筒状に形成し、ホルダー部２３等とカバー部２４等との接続部分を円形にしているが、カバー部を略四角筒状に形成し、ホルダー部とカバー部との接続部分を四角形にしたり、これらの形状を他の形状にしたりすることもできる。
【００３０】
この場合は、ホルダー部へのカバー部の取り付けをねじ同士の螺合によって行うのではなく、カバー部の周縁部をホルダー部の周縁部等に押し付けることによって係合することのできる係合機構を設ける等して行う。また、前述した各実施形態では、照明装置の止水構造２０等を浴室１０に設けているが、本発明にかかる照明装置の止水構造は、浴室に限らず、シャワールーム、洗面所等の止水性が要求される種々の衛生設備で使用することができる。
【図面の簡単な説明】
【００３１】
【図１】本発明の第１実施形態に係る照明装置の止水構造を備えた浴室を示す斜視図である。
【図２】図１に示した浴室に設けられた照明装置の止水構造を示す一部切欠き断面図である。
【図３】本発明の第２実施形態に係る照明装置の止水構造を示す一部切欠き断面図である。
【図４】本発明の第３実施形態に係る照明装置の止水構造の要部を示す断面図である。
【符号の説明】
【００３２】
１０…浴室、２０，３０，４０…止水構造、２１，３１，４１…壁面、２２，３２…照明具、２３，３３，４３…ホルダー部、２４，３４，４４…カバー部、２５，３５，４５ａ，４５ｂ…弾性ヒレ部。
【図１】
2006147384.tif 000003
【図２】
2006147384.tif 000004
【図３】
2006147384.tif 000005
【図４】
2006147384.tif 000006